(57)【要約】【課題】乳幼児の体を冷却して発汗を抑制することができる背当てパッドを提供する。【解決手段】背当てパッド１は、略矩形状をなし、上端に設けた開口部１０から保冷剤３を抜き差し自在に収容する保冷剤収容部１１を上部に備えている。保冷剤収容部１１は、熱融着により形成され、幅方向に延びる抑止部１２，１２を有し、該抑止部１２，１２により他部と仕切られている。背当てパッド１の略中央部には、幅方向に延び、厚み方向に貫通する貫通穴１３，１３が設けられている。背当てパッド１の下から略三分の一の長さの位置には、前記抑止部１２より長さを長くした熱融着部１４が設けられている。背当てパッド１は、基材、不織布シート、カバー、及び滑り止め層からなる層構造を有する。【選択図】図２
2013199182.tif 000002
【特許請求の範囲】
【請求項１】
基材と該基材を覆うカバーとを含み、ベビーカー又は椅子の背当て部に当接される背当てパッドであって、
前記基材と前記カバーとの間に保冷剤を抜き差し自在に収容する保冷剤収容部を備えることを特徴とする背当てパッド。
【請求項２】
端部に、前記保冷剤収容部の開口部を有することを特徴とする請求項１に記載の背当てパッド。
【請求項３】
前記基材及び前記カバーは合成樹脂からなり、
熱融着により形成され、幅方向に延び、長さ方向の前記保冷剤の動きを抑止する抑止部を備えることを特徴とする請求項１又は２に記載の背当てパッド。
【請求項４】
前記カバーはダブルメッシュ生地からなることを特徴とする請求項１から３までのいずれか１項に記載の背当てパッド。
【請求項５】
前記カバーの前記基材側の面に不織布からなるシートを配してあることを特徴とする請求項１から４までのいずれか１項に記載の背当てパッド。
【請求項６】
幅方向に延びる貫通穴を複数設けてあることを特徴とする請求項１から５までのいずれか１項に記載の背当てパッド。
【請求項７】
前記開口部は、ファスナー、面ファスナー、ホック、又はスナップにより閉塞されるように構成されていることを特徴とする請求項１から６までのいずれか１項に記載の背当てパッド。
【請求項８】
端部をＵ字状に切り欠いてあることを特徴とする請求項１から７までのいずれか１項に記載の背当てパッド。
【発明の詳細な説明】
【技術分野】
【０００１】
本発明は、ベビーカー、及びチャイルドシート等の椅子の背当て部に当接して乳幼児の体を冷却する背当てパッドに関する。
【背景技術】
【０００２】
乳幼児は体温が高いため、汗をかきやすく、ベビーカー、及びチャイルドシート等に乗せて移動する場合には、頭部及び背中が汗で蒸れることにより、あせも等の皮膚障害が生じたり、風邪を引いたりすることがある。これらを防ぐためには、こまめに汗をタオルで拭いたり、着替えさせたりする必要があるが、移動中には困難である。
また、ベビーカー、及びチャイルドシート等が汗で汚れた場合、通常、これらは分解できないので、布等で拭き取ったり、日干ししたりすることで対応しており、衛生面において問題があった。
【０００３】
そこで、本出願人は、基材の一面に、汗を吸収する吸汗層を備え、座席に当接する座席用汗とりパットを開発した（特許文献１）。この座席用汗とりパットによれば、吸汗層に吸湿性が高いレーヨンを含むので、この吸汗層により子供の尻部及び背中の汗が吸収され、汗ムレが防止されてあせも等の皮膚障害が予防され、風邪を引くのが予防される。そして、この座席用汗とりパットは着脱自在であるので、汚れた場合には取り外して洗濯することができ、ベビーカー及びチャイルドシートの座部及び背もたれ部を清潔に保つことができる。
【先行技術文献】
【特許文献】
【０００４】
【特許文献１】特開２００２−１３６３９９号公報
【発明の概要】
【発明が解決しようとする課題】
【０００５】
しかし、特許文献１等の従来の座席用汗とりパットは汗をかいた後に汗を吸収するものであり、汗をかくのを抑制することはできない。例えばベビーカーに乳幼児を乗せて移動する場合、乳幼児の頭部には直接日光が照射し、地面からの照り返しも受けるので、頭部は非常に熱くなりやすく、毛髪も有するので他部より汗をかきやすい。そこで、乳幼児の頭部等を中心に体を十分に冷却して発汗を抑制することが望まれている。
【０００６】
本発明は斯かる事情に鑑みてなされたものであり、乳幼児の体を冷却して発汗を抑制することができる背当てパッドを提供することを目的とする。
【課題を解決するための手段】
【０００７】
第１発明に係る背当てパッドは、基材と該基材を覆うカバーとを含み、ベビーカー又は椅子の背当て部に当接される背当てパッドであって、前記基材と前記カバーとの間に保冷剤を抜き差し自在に収容する保冷剤収容部を備えることを特徴とする。
【０００８】
本発明においては、保冷剤収容部に保冷剤を収容し、乳幼児の体を冷却して、発汗を抑制することができる。
【０００９】
第２発明に係る背当てパッドは、第１発明において、端部に、前記保冷剤収容部の開口部を有することを特徴とする。
【００１０】
本発明においては、乳幼児の頭部を冷却することができる。
【００１１】
第３発明に係る背当てパッドは、第１又は第２発明において、前記基材及び前記カバーは合成樹脂からなり、熱融着により形成され、幅方向に延び、長さ方向の前記保冷剤の動きを抑止する抑止部を備えることを特徴とする。
【００１２】
本発明においては、袋状に縫合することなく、容易に保冷剤収容部を他部と仕切ることができる。そして、縫合する場合と異なり、保冷剤収容部と他部との連通部分を有するので、保冷剤収容部から保冷剤の冷気を他部に通流することができる。
【００１３】
第４発明に係る背当てパッドは、第１発明から第３発明のいずれかにおいて、前記カバーはダブルメッシュ生地からなることを特徴とする。
【００１４】
本発明においては、ダブルメッシュ生地が通気性間隙を有するので、汗ムレを防止するとともに、適度な空気層が生じ、保冷剤からの冷気を保持することができる。
【００１５】
第５発明に係る背当てパッドは、第１発明から第４発明のいずれかにおいて、前記カバーの前記基材側の面に不織布からなるシートを配してあることを特徴とする。
【００１６】
本発明においては、不織布が通気性繊維間隙を有するので、汗ムレを防止するとともに、適度な空気層が生じ、保冷剤からの冷気を保持することができる。
【００１７】
第６発明に係る背当てパッドは、第１発明から第５発明のいずれかにおいて、幅方向に延びる貫通穴を複数設けてあることを特徴とする。
【００１８】
本発明においては、貫通穴により放熱することができるとともに、背当てパッドを折り曲げるときの抵抗を逃すことができる。そして、該貫通穴にベビーカー及びチャイルドシート等の身体固定ベルトを挿通することもできる。
【００１９】
第７発明に係る背当てパッドは、第１発明から第６発明のいずれかにおいて、前記開口部は、ファスナー、面ファスナー、ホック、又はスナップにより閉塞されるように構成されていることを特徴とする。
【００２０】
本発明においては、容易に開口部を閉塞することができる。
【００２１】
第８発明に係る背当てパッドは、第１発明から第７発明のいずれかにおいて、端部をＵ字状に切り欠いてあることを特徴とする。
【００２２】
本発明においては、乳幼児の脚部をＵ字状に切り欠いた端部に載せて、汗ムレを防止することができる。
【発明の効果】
【００２３】
本発明の背当てパッドによれば、保冷剤を収容する保冷剤収容部を備えるので、乳幼児の体を十分に冷却して発汗を抑制することができる。
【図面の簡単な説明】
【００２４】
【図１】本発明の実施の形態１に係る背当てパッドをベビーカーに配した状態を示す斜視図である。
【図２】本発明の実施の形態１に係る背当てパッドの平面図である。
【図３】本発明の実施の形態１に係る背当てパッドの横断面図である。
【図４】本発明の実施の形態１に係る背当てパッドの上端部の拡大図である。
【図５】本発明の実施の形態２に係る背当てパッドをチャイルドシートに配した状態を示す斜視図である。
【発明を実施するための形態】
【００２５】
以下、本発明をその実施の形態を示す図面に基づいて具体的に説明する。
実施の形態１．
図１は、本発明の実施の形態１に係る背当てパッド１をベビーカー５に配した状態を示す斜視図である。
ベビーカー５は、座部５０と、背もたれ部５１と、車輪を有した脚部５２，５２，５２，５２と、把持部５３，５３と、身体固定ベルト５４とを備えている。背当てパッド１は、背もたれ部５１及び座部５０に亘って当接されている。
【００２６】
図２は背当てパッド１の平面図、図３は背当てパッド１の横断面図、図４は背当てパッド１の上端部の拡大図である。
背当てパッド１は後述するように合成樹脂製であり、略矩形状をなし、上端に設けた開口部１０から保冷剤３を抜き差し自在に収容する保冷剤収容部１１を上部に備えている。背当てパッド１の他端側はＵ字状に切り欠かれて脚部１５，１５を形成されている。
【００２７】
保冷剤収容部１１は、開口部１０から略三分の一の長さの位置に、熱融着により形成され、幅方向に延びる抑止部１２，１２を有し、該抑止部１２，１２により他部と仕切られ、収容された保冷剤３の背当てパッド長さ方向の動きが抑止される。
背当てパッド１の略中央部には、幅方向に延び、厚み方向に貫通する貫通穴１３，１３が設けられている。貫通穴１３，１３により背当てパッド１に伝導した熱が放熱され、背当てパッド１を折り曲げるときの抵抗を逃すことができる。
また、背当てパッド１の下から略三分の一の長さの位置には、前記抑止部１２より長さを長くした熱融着部１４が設けられている。この熱融着部１４により背当てパッド１をベビーカー５の座部５０と背もたれ部５１との境界に対応させて、容易に折り曲げることができる。
【００２８】
図３に示すように、背当てパッド１の基材１ａの裏面には滑り止め層１ｂが形成されており、基材１ａの表面側には、該表面と接着させずに不織布シート１ｃが載置されている。不織布１ｃの表面側には接着させずにカバー１ｄが載置されている。基材１ａは、例えばポリエステルの短繊維を綿状にからませて薄肉のシート状のウェブを形成し、このシートウェブを重ねて厚肉のラップウェブを形成し、このラップウェブにニードルパンチ加工を施してフェルト状に形成したものである。この基材１ａの裏面に、例えばアクリル酸エステル共重合体５０％、ＭＢＲ（変性メチルメタアクリレート・ブタジエン共重合体）５０％の混合液を塗布し、その後乾燥させることにより、滑り止め層１ｂが形成される。不織布シート１ｃは、例えばアクリル４０％、レーヨン４０％及びポリエステル２０％を含み、各成分の短繊維を互いに綿状にからませて薄肉のシート状のウェブを形成し、ニードルパンチ加工等により繊維を結合させて得られる。カバー１ｄは例えばポリエステルを含むダブルメッシュ生地からなる。
基材１ａ、不織布シート１ｃ、及びカバー１ｄは所望の形状に切り抜かれ、重ねられた状態で、端部を縫い合わせられる。
また、背当てパッド１は抑止部１２，１２、及び熱融着部１４により接合されているので、不織布シート１ｃ及びカバー１ｄのずれ及び破れが抑制されている。
なお、基材１ａには例えばキトサンを含有させる等の抗菌及び消臭加工を施し、汗を吸収した場合に、細菌の繁殖を抑制し、消臭するようにしてもよい。
【００２９】
紐１６は、開口部１０において、背当てパッド１の表側を、すなわち不織布シート１ｃ及びカバー１ｄを合わせた状態で縁取りし、紐１７は、背当てパッド１の裏側を、すなわち基材１ａ及び滑り止め層１ｂを縁取りしている。紐１６，１７は開口部１０を縁取りした後、背当てパッド１の両端部から適長延出しており、背当てパッド１をベビーカー５の適宜の位置に固定することができる。
【００３０】
図４に示すように、開口部１０の背当てパッド１の前記表側の裏面（不織布シート１ｃ上）には、面ファスナー１８のループ面１８ｂが、背当てパッド１の前記裏側の表面（基材１ａ上）には面ファスナー１８のフック面１８ａが設けられており、保冷剤３を保冷剤収容部１１に収容した後、容易に開口部１０を閉塞することができるように構成されている。なお、開口部１０の閉塞手段は面ファスナー１８に限定されるものではなく、ファスナー、ホック、又はスナップ等であってもよい。
保冷剤３は、例えばナイロン、ポリエチレンを含む外装フィルムと、例えば吸水性樹脂、プロピレングリコール、水、及び防腐防カビ剤を含む内容物とからなる。
【００３１】
以上のように構成されているので、本実施の形態においては、保冷剤収容部１１に保冷剤３を収容し、乳幼児の頭部を中心に十分に冷却して、発汗を抑制することができる。
また、本実施の形態においては、背当てパッド１の各層を縫合せず、熱融着して得られる抑止部１２によって容易に保冷剤収容部１１を他部と仕切ることができる。そして、仕切り部分を完全に縫合する場合と異なり、保冷剤収容部１１と他部との連通部分を有するので、保冷剤収容部１１から保冷剤３の冷気を他部に通流することができる。
【００３２】
カバー１ｄはダブルメッシュ生地からなり、通気性間隙を有し、不織布シート１ｃは通気性繊維間隙を有する。冷気の伝達効率は良好であり、しかもカバー１ｄ及び不織布シート１ｃに作られる適度の空気層により保冷剤３の冷気が保持され、冷却効果が持続する。そして、カバー１ｄ、不織布シート１ｃ、基材１ａそれぞれの間は、抑止部１２，１２及び熱融着部１４を除き接着されておらず、背当てパッド１の面方向に空気の流れも生じ、水蒸気が背当てパッド１の厚み方向及び面方向に流れて汗ムレが良好に防止される。そして、基材１ａはフェルト状をなし、汗を良好に吸収することができる。
保冷剤３は、ベビーカー５に固定された背当てパッド１の保冷剤収容部１１に収容されているので、保冷剤３をタオル等に包んでベビーカー５の背もたれ部５１に直接当接する場合と異なり、動くことがなく、上述したように冷気の伝達効率が良好である。
また、本実施の形態においては紐１６，１７により背当てパッド１をベビーカー５の適宜の位置に固定することができ、滑り止め層１ｄにより背当てパッド１のずれも抑制されている。
従って、本実施の形態の背当てパッド１によれば、乳幼児の頭部を中心に発汗を抑制し、汗が生じた場合には、汗ムレを防止して汗を吸収することができ、快適にベビーカー５で乳幼児が移動することができ、あせも等の皮膚障害を予防し、風邪を引くのを予防することができる。
【００３３】
そして、本実施の形態の背当てパッド１は着脱自在であるので、汚れた場合には取り外して洗濯することができ、ベビーカー５の座部５０及び背もたれ部５１を清潔に保つことができる。
なお、ベビーカー５の身体固定ベルト５４が貫通穴１３，１３を挿通させることができるように構成されている場合においては、身体固定ベルト５４を貫通穴１３，１３に挿通させ、紐１６，１７による頭部側の固定に加えて、背部側も固定することも可能である。
【００３４】
実施の形態２．
図５は、実施の形態２に係る背当てパッド２０をチャイルドシート６に配した状態を示す斜視図である。
チャイルドシート６は、幼児の体に合わせて成形された座部６０及び背もたれ部６１を備え、身体固定ベルト６２を有している。そして、背もたれ部６１及び座部６０に、背当てパッド２０が配されている。
背当てパッド２０は、抑止部１２が１つであり、該抑止部１２の両側に切込み部１９，１９が設けられていること以外は、実施の形態１に係る背当てパッド１と同様の構成を有する。該切込み部１９，１９に身体固定ベルト６２，６２が挿通される。
【００３５】
本実施の形態においては、身体固定ベルト６２を挿通するための切込み部１９を備えているので、背当てパッド２０が座部６０及び背もたれ部６１に良好に固定され得る。
本実施の形態においては、実施の形態１と同様に、保冷剤収容部１１に保冷剤３を収容し、乳幼児の頭部を十分に冷却して、発汗を抑制することができる。
そして、カバー１ｄ及び不織布シート１ｃの通気性が良好であり、基材１ａの吸水性が良好であるので、汗が生じた場合には、汗ムレを防止して汗を吸収することができ、チャイルドシート６を車の座席に固定して快適に乳幼児が移動することができ、あせも等の皮膚障害を予防し、風邪を引くのを予防することができる。
【００３６】
なお、背当てパッド１及び２０の形状、層構造、各層の材質、並びに抑止部１２，貫通穴１３，熱融着部１４の個数、大きさ、及び配置は前記実施の形態１及び２において説明した場合に限定されるものではない。
また、本発明の背当てパッド１，２０は、ベビーカー５、チャイルドシート６以外の椅子の背当て部に当接することが可能である。
本発明は、請求項に示した範囲で種々の変更が可能である。すなわち、請求項に示した範囲で適宜変更した技術的手段を組み合わせて得られる実施形態も本発明の技術的範囲に含まれる。
【符号の説明】
【００３７】
１、２０  背当てパッド
１０  開口部
１１  保冷剤収容部
１２  抑止部
１３  貫通穴
１４  熱融着部
１５  脚部
１６、１７  紐
１８  面ファスナー
１９  切込み部
３  保冷剤
５  ベビーカー
５０、６０  座部
５１、６１  背もたれ部
６  チャイルドシート
【図１】
2013199182.tif 000003
【図２】
2013199182.tif 000004
【図３】
2013199182.tif 000005
【図４】
2013199182.tif 000006
【図５】
2013199182.tif 000007